(57)【要約】【課題】地上アナログ放送が終了する際、ユーザの混乱を防止することの可能なテレビジョンの提供を目的とする【解決手段】マイコン５０は、地上デジタル放送のＰＳＩ信号から日付情報を取得し、ＥＥＰＲＯＭ５３より地上アナログ放送が終了される終了日情報を取得して上記日付情報と比較し、上記日付情報が上記終了日情報を超えていると、メニュー画面に表示される地上アナログ放送のチャンネル設定を行う操作項目を削除し、画面に地上アナログ放送が終了した旨を表示し、リモコン６０のアナログチャンネルキー６３ａに地上デジタル放送に関する機能を割り当て可能とする。【選択図】図４
2007235693.tif 000002
【特許請求の範囲】
【請求項１】
映像信号が入力されて、当該映像信号に対応する映像を画面に表示するディスプレイと、
地上アナログ放送を受信して所望の周波数帯域の中間周波信号を抽出するアナログチューナと、
地上デジタル放送を受信して所望の周波数帯域の中間周波信号を抽出するデジタルチューナと、
アナログの中間周波信号に所定の映像信号処理を施してデジタル映像信号を出力するアナログ映像信号処理部と、
デジタルの中間周波信号に所定の映像信号処理を施してデジタル映像信号と日付情報を出力するデジタル映像信号処理部と、
上記アナログ映像信号処理部と上記デジタル映像信号処理部とからデジタル映像信号が入力されて上記ディスプレイのサイズに対応するようスケーリング処理を行うとともに、ピクチャー・イン・ピクチャー表示の映像信号を出力することが可能なスケーラと、
所定のフォーマットのパルスで表現した赤外線信号を受信して対応する電圧信号を生成する赤外線受光回路と、
上記地上アナログ放送のチャンネル番号に一対一対応する複数のキーと、上記赤外線信号を上記赤外線受光回路に向けて送信する赤外線送信回路とを有し、同複数のキーの操作に応じた赤外線信号を所定のフォーマットで送出するリモコンと、
上記日付情報や上記電圧信号に基づいて上記ディスプレイとアナログチューナとデジタルチューナとアナログ映像信号処理部とデジタル映像信号処理部とスケーラとを制御するマイコンと、
地上アナログ放送が終了される終了日情報が記憶されたＥＥＰＲＯＭと、
を備えるテレビジョンにおいて、
上記マイコンは、
上記地上デジタル放送のＰＳＩ信号に含まれる日付情報から上記日付情報を取得し、
上記ＥＥＰＲＯＭより地上アナログ放送が終了される終了日情報を取得して上記日付情報と比較し、
上記日付情報が上記終了日情報を超えていると、
メニュー画面に表示される上記地上アナログ放送のチャンネル設定を行う操作項目を削除し、
上記画面に上記地上アナログ放送が終了した旨を表示し、
上記複数の操作入力端子に地上デジタル放送に関する機能を割り当て可能とする
ことを特徴とするテレビジョン。
【請求項２】
地上アナログ放送と地上デジタル放送とを受信し、それぞれの放送に対応する映像を画面に表示するとともに、地上アナログ放送のチャンネル設定および地上デジタル放送のチャンネル設定を行うメニュー画面を表示するテレビジョンにおいて、
日付情報を取得する日付取得手段と、
地上アナログ放送が終了される終了日情報と上記日付情報とを比較する日付比較手段と、
上記日付情報が上記終了日情報を超えると、上記地上アナログ放送のチャンネル設定を行うメニュー画面の表示を変更するメニュー変更手段と
を備えることを特徴とするテレビジョン。
【請求項３】
日付と時刻とを保持するタイマ手段を備え、
上記日付取得手段は、
上記タイマ手段より上記日付情報を取得する
ことを特徴とする上記請求項２に記載のテレビジョン。
【請求項４】
上記日付取得手段は、
上記地上デジタル放送に含まれる日付情報から上記日付情報を取得する
ことを特徴とする上記請求項２または請求項３に記載のテレビジョン。
【請求項５】
上記メニュー変更手段は、
上記メニュー画面の表示を変更すると、上記画面に上記地上アナログ放送が終了した旨を表示する
ことを特徴とする上記請求項２〜請求項４のいずれかに記載のテレビジョン。
【請求項６】
アナログ放送のチャンネル番号と一対一対応する複数の操作入力端子を具備する操作入力手段を備え、
上記メニュー画面の表示が変更されると、
上記複数の操作入力端子に地上デジタル放送に関する機能を割り当て可能とする
ことを特徴とする上記請求項２〜請求項５のいずれかに記載のテレビジョン。
【請求項７】
上記メニュー変更手段は、
上記日付情報が上記終了日情報を超えると、上記アナログ放送のチャンネル設定を行うメニュー画面の代わりに、上記画面に上記アナログ放送が終了した旨を表示する
ことを特徴とする上記請求項２〜請求項６のいずれかに記載のテレビジョン。
【請求項８】
上記メニュー変更手段は、
上記日付情報が上記終了日情報を超えると、上記アナログ放送のチャンネル設定を行うメニュー画面を削除する
ことを特徴とする上記請求項２〜請求項７のいずれかに記載のテレビジョン。
【発明の詳細な説明】
【技術分野】
【０００１】
本発明は、地上デジタル放送と地上アナログ放送とを受信可能なテレビジョンに関する。
【背景技術】
【０００２】
現在、テレビジョン放送は、アナログ放送とデジタル放送とが共に放送されている。そのため、テレビジョンには、地上デジタル放送と地上アナログ放送を両方受信できるシステムとなっているものが存在する。しかしながら、２０１１年７月２５日に地上アナログ放送が廃止されて地上デジタル放送のみの放送となる。
【０００３】
上記背景に鑑みて特許文献１には、リモートコントローラにおいて選局の為のキー数の増加を抑えて操作性を向上させる為に、第１のワンタッチ選局キー群と第２のワンタッチ選局キー群とを配置し、第２のワンタッチ選局キー群に地上アナログ放送のチャンネルを割り当て、第１のワンタッチ選局キー群にモード切り替えを行なうことによって、地上デジタル放送、ＢＳデジタル放送及び１１０度ＣＳデジタル放送を割り当て、第１のワンタッチ選局キー群と第２のワンタッチ選局キー群との間で、放送の割り当てを入れ替えることが可能である放送受信装置について開示されている。
【０００４】
また、特許文献２には、地上デジタル放送開始時期あるいは地上アナログ放送停波後における視聴者の混乱を防ぐ為に、サイマルチャンネルテーブルを有するフラッシュメモリを備え、ＣＰＵが、デジタル放送受信部で受信したデジタル放送信号から取得した変更サイマルチャンネルテーブルデータをフラッシュメモリのサイマルチャンネルテーブルに取り込んでダウンロードし、フラッシュメモリに記憶したサイマルチャンネルテーブルデータを変更サイマルチャンネルテーブルデータに更新するデータ更新処理を行うテレビジョン放送受信装置について開示されている。
【特許文献１】特開２００４−３６３９１０号
【特許文献２】特開２００４−３２０４４９号
【発明の開示】
【発明が解決しようとする課題】
【０００５】
地上デジタル放送と地上アナログ放送を両方受信できるシステムとなっているテレビジョンには、地上デジタル放送と地上アナログ放送のそれぞれ対応するチャンネル設定などのメニュー項目を備えている。しかしながら、地上アナログ放送が終了すると、これらのメニュー項目は選択可能であるにも関わらず選択してもユーザの意図した結果が得られなくなり、ユーザが混乱する可能性がある。
【０００６】
本発明は、上記課題にかんがみてなされたもので、地上アナログ放送が終了する際、ユーザの混乱を防止することの可能なテレビジョンの提供を目的とする。
【課題を解決するための手段】
【０００７】
上記課題を解決するために、本発明の請求項１にかかる発明では、映像信号が入力されて、当該映像信号に対応する映像を画面に表示するディスプレイと、地上アナログ放送を受信して所望の周波数帯域の中間周波信号を抽出するアナログチューナと、地上デジタル放送を受信して所望の周波数帯域の中間周波信号を抽出するデジタルチューナと、アナログの中間周波信号に所定の映像信号処理を施してデジタル映像信号を出力するアナログ映像信号処理部と、デジタルの中間周波信号に所定の映像信号処理を施してデジタル映像信号と日付情報を出力するデジタル映像信号処理部と、上記アナログ映像信号処理部と上記デジタル映像信号処理部とからデジタル映像信号が入力されて上記ディスプレイのサイズに対応するようスケーリング処理を行うとともに、ピクチャー・イン・ピクチャー表示の映像信号を出力することが可能なスケーラと、所定のフォーマットのパルスで表現した赤外線信号を受信して対応する電圧信号を生成する赤外線受光回路と、上記地上アナログ放送のチャンネル番号に一対一対応する複数のキーと、上記赤外線信号を上記赤外線受光回路に向けて送信する赤外線送信回路とを有し、同複数のキーの操作に応じた赤外線信号を所定のフォーマットで送出するリモコンと、上記日付情報や上記電圧信号に基づいて上記ディスプレイとアナログチューナとデジタルチューナとアナログ映像信号処理部とデジタル映像信号処理部とスケーラとを制御するマイコンと、地上アナログ放送が終了される終了日情報が記憶されたＥＥＰＲＯＭと、を備えるテレビジョンにおいて、上記マイコンは、上記地上デジタル放送のＰＳＩ信号に含まれる日付情報から上記日付情報を取得し、上記ＥＥＰＲＯＭより地上アナログ放送が終了される終了日情報を取得して上記日付情報と比較し、上記日付情報が上記終了日情報を超えていると、メニュー画面に表示される上記地上アナログ放送のチャンネル設定を行う操作項目を削除し、上記画面に上記地上アナログ放送が終了した旨を表示し、上記複数の操作入力端子に地上デジタル放送に関する機能を割り当て可能とする構成としてある。
【０００８】
また、上記目的を達成するために、請求項２に記載のテレビジョンでは、地上アナログ放送と地上デジタル放送とを受信し、それぞれの放送に対応する映像を画面に表示するとともに、地上アナログ放送のチャンネル設定および地上デジタル放送のチャンネル設定を行うメニュー画面を表示するテレビジョンにおいて、日付情報を取得する日付取得手段と、地上アナログ放送が終了される終了日情報と上記日付情報とを比較する日付比較手段と、上記日付情報が上記終了日情報を超えると、上記地上アナログ放送のチャンネル設定を行うメニュー画面の表示を変更するメニュー変更手段とを備える構成としてある。
上記のように構成した請求項２にかかる発明において、上記日付取得手段が日付情報を取得し、上記日付比較手段が上記地上アナログ放送が終了される終了日情報と上記日付情報とを比較し、上記日付情報が上記終了日情報を超えると、上記メニュー変更手段が上記地上アナログ放送のチャンネル設定を行うメニュー画面の表示を変更する。
【０００９】
そして、請求項３にかかる発明では、上記請求項２に記載のテレビジョンにおいて、日付と時刻とを保持するタイマ手段を備え、上記日付取得手段は、上記タイマ手段より上記日付情報を取得する構成としてある。
【００１０】
さらに、請求項４にかかる発明では、上記請求項２または請求項３に記載のテレビジョンにおいて、上記日付取得手段は、上記地上デジタル放送に含まれる日付情報から上記日付情報を取得する構成としてある。
【００１１】
さらに、請求項５にかかる発明は、上記請求項２〜請求項４のいずれかに記載のテレビジョンにおいて、上記メニュー変更手段は、上記メニュー画面の表示を変更すると、上記画面に上記地上アナログ放送が終了した旨を表示する構成としてある。
【００１２】
さらに、請求項６にかかる発明は、上記請求項２〜請求項５のいずれかに記載のテレビジョンにおいて、アナログ放送のチャンネル番号と一対一対応する複数の操作入力端子を具備する操作入力手段を備え、上記メニュー画面の表示が変更されると、上記複数の操作入力端子に地上デジタル放送に関する機能を割り当て可能とする構成としてある。
【００１３】
さらに、請求項７にかかる発明は、上記請求項２〜請求項６のいずれかに記載のテレビジョンにおいて、上記メニュー変更手段は、上記日付情報が上記終了日情報を超えると、上記アナログ放送のチャンネル設定を行うメニュー画面の代わりに、上記画面に上記アナログ放送が終了した旨を表示する構成としてある。
【００１４】
さらに、請求項８にかかる発明は、上記請求項２〜請求項７のいずれかに記載のテレビジョンにおいて、上記メニュー変更手段は、上記日付情報が上記終了日情報を超えると、上記アナログ放送のチャンネル設定を行うメニュー画面を削除する構成としてある。
【発明の効果】
【００１５】
以上説明したように本発明によれば、地上アナログ放送に関わるメニューに関する処理を行わないことで、テレビジョンの操作性がよくなるとともに、地上アナログ放送終了に伴い不要となる機能が表示されなくなり、ユーザクレームの回避が可能なテレビジョンの提供が可能となる。
【００１６】
また請求項３にかかる発明によれば、内部に保持されたタイマより日付を取得するので、電波状況に関わらず上記日付情報の取得が可能となる。
そして請求項４にかかる発明によれば、地上デジタル放送の日付情報から上記日付情報を取得するため、正確な日付情報の取得が可能となる。
さらに請求項５にかかる発明によれば、上記メニュー画面の表示を変更すると、上記画面に上記地上アナログ放送が終了した旨を表示するため、メニュー画面を変更したことがユーザに通知される為ユーザの利便性が向上すると共にユーザクレームの回避が可能となる。
また請求項６にかかる発明によれば、地上アナログ放送が終了して不要となる地上アナログ放送用の操作入力端子に、地上デジタル放送に関わる機能を割り当てることでユーザの利便性を向上させることが可能となる。
そして請求項７にかかる発明によれば、上記メニュー画面の表示を変更する前に上記画面に地上アナログ放送が終了した旨を表示するため、ユーザに地上アナログ放送が終了したことを通知してからメニュー画面が変更されることとなり、ユーザの利便性が向上すると共にユーザクレームの回避が可能となる。
【００１７】
さらに請求項８にかかる発明によれば、地上アナログ放送に関わるメニューに関する処理を行わないことで、テレビジョンの操作性がよくなるとともに、地上アナログ放送終了に伴い不要となる機能が表示されなくなり、ユーザクレームの回避が可能なテレビジョンの提供が可能となる。
さらに請求項１のような、より具体的な構成において、上述した請求項２〜請求項８の各発明と同様の作用を奏することはいうまでもない。
【発明を実施するための最良の形態】
【００１８】
以下、下記の順序に従って本発明の実施形態を説明する。
（１）テレビジョンの概略構成：
（２）メニュー項目変更を行うマイコンの処理：
（３）まとめ：
【００１９】
（１）テレビジョンの概略構成： 
図１は、本発明にかかるテレビジョン１１０をブロック図により示している。
テレビジョン１１０は、テレビジョン本体１００とリモコン６０とからなる。テレビジョン本体１００は、概略、アナログチューナ１０と、デジタルチューナ１５と、外部入力端子２０と、第一のアナログ映像信号処理部２５と、第二のアナログ映像信号処理部３５と、デジタル映像信号処理部３０と、スケーラ４０と、ＶＲＡＭ４５と、ＥＥＰＲＯＭ５３と、ドライバ５５と、ディスプレイ７０と、マイコン５０等の構成部品からなる。
【００２０】
マイコン５０は、テレビジョン本体１００全体の駆動を制御するものであり、発振回路（ＣＬＫ）５２や赤外線受光回路５１が直接接続されており、ＣＰＵとＲＯＭとＲＡＭを備えつつ、テレビジョン本体１００の各構成部品と電気的に接続している。つまり、マイコン５０においては、ＣＰＵが、ＲＡＭをワークエリアとして、ＲＯＭに記憶されたプログラムやデータに基づいてテレビジョン１００の駆動を制御する。また、赤外線受光回路５１は所定のフォーマットのパルスで表現した赤外線信号を受信し、受信した赤外線信号に基づいて対応する電圧信号を生成しマイコン５に出力する。マイコン５０は、同電圧信号を受け付けて、対応する各種制御を行う。
【００２１】
また、マイコン５０は発振回路５２の発振に基づき、設定された日付と時刻情報を保持する。従ってマイコン５０と発振回路５２とが、日付と時刻とを保持するタイマ手段を構成する。
【００２２】
アナログチューナ１０は、いわゆるシンセサイザ方式の構成とされている。アナログチューナ１０には、選局制御信号としてＰＬＬデータ、すなわち、ＰＬＬループにおける可変分周回路の分周比のデータが与えられる。アナログチューナ１０は、マイコン５０から選局制御信号としてのＰＬＬデータの送信を受けて、アンテナ１０ａを介して受信した地上アナログ放送の各チャンネルに対応する放送信号のいずれかから所望の周波数帯域の中間周波信号（ＩＦ）を抽出することにより、複数のチャンネルの中から一つのチャンネルを選択する。
【００２３】
マイコン５０は、ユーザがリモコン６０などで送信したチャンネル切替指示信号を赤外線受光回路を介して受信することによって、そのとき選局すべきチャンネルを認識し、選局されたチャンネルのテレビジョン放送信号を受信するための選局制御信号をアナログチューナ１０に送信する。
【００２４】
アナログチューナ１０から出力される中間周波信号は、アナログ映像信号処理部２５に供給される。アナログ映像信号処理部２５は、増幅部と復調部とＮＴＳＣデコーダとを備える。増幅部は、上記供給された中間周波信号のゲインを、所定のフィードバック制御のもと、所定レベルに増幅させ、復調部は、増幅された中間周波信号を分離することにより、ＮＴＳＣ形式のアナログ映像信号とアナログ音声信号とを生成する。同生成されたアナログ映像信号はＮＴＳＣデコーダに入力され、ＮＴＳＣデコーダにてデジタル映像信号に変換される。ＮＴＳＣ形式はアナログテレビジョン信号の標準形式であり、色を再現するための信号と１５．７５ｋＨｚの水平同期信号と６０Ｈｚの垂直同期信号等が含まれる。復調部には水平同期信号と垂直同期信号とを抽出するための同期分離回路が備えられており、同期分離回路が抽出した水平同期信号と垂直同期信号に基づいて、ＮＴＳＣデコーダが同期の取れたデジタル映像信号を生成する。ＮＴＳＣデコーダにて生成された第一の映像信号は、スケーラ４０に出力される。なお、復調部にて分離されたアナログ音声信号は、不図示のスピーカに供給される。
【００２５】
デジタルチューナ１５は、マイコン５０から送信された選局制御信号に基づいて、アンテナ１５ａを介して受信した各チャンネルに対応する地上デジタル放送信号の中間周波信号を抽出し、デジタル映像信号処理部３０に供給される。
【００２６】
デジタル映像信号処理部３０は、デジタルＩ／Ｆと復調部とデスクランブル部とデマルチプレックス部とＭＰＥＧデコーダとを備える。中間周波信号が入力されるデジタルＩ／ＦはＡ／Ｄコンバータを有しており、デジタルＩ／Ｆから信号の供給を受ける復調部は、チャンネルイコライザ、エラー訂正デコード部等を有している。すなわち、デジタルＩ／Ｆと復調部とは、入力される中間周波信号をデジタル信号に変換するとともに、マイコン５０からの制御情報に基づいてデジタル復調した信号に対していわゆるゴーストキャンセルを行う。さらに、デジタルＩ／Ｆと復調部は、伝送路上で発生したビット誤りを訂正し、トランスポートストリーム（ＴＳ）信号を得る。
【００２７】
ＴＳ信号は、通常スクランブルがかかっているため、このままでは適正に映像・音声を再生することはできない。そこで、デスクランブル部がＴＳ信号に対してデ・スクランブル処理を行うことにより、ＴＳ信号を再生可能なデータ配列に復元する。デ・スクランブル処理が行われたＴＳ信号は、映像信号や音声信号や文字情報等が多重化された形式となっており、デマルチプレックス部に供給される。デマルチプレックス部では入力されたデータに対してデ・マルチプレックス処理を行う。すなわち、ここで多重化が解除される。
【００２８】
デ・マルチプレックス処理にて多重化が解除されると、映像信号や音声信号およびＰＳＩなどのサービス情報が所定の方式により圧縮されたＭＰＥＧデータが得られる。ＭＰＥＧデータはＭＰＥＧデコーダに供給され、ＭＰＥＧデコーダにて圧縮解凍処理、つまりＭＰＥＧデコード処理が行われる。このＭＰＥＧデコード処理により、デジタル映像信号とデジタル音声信号とサービス情報（ＰＳＩ：Ｐｒｏｇｒａｍ  Ｓｐｅｃｉｆｉｃ  Ｉｎｆｏｒｍａｔｉｏｎ，ＳＩ：Ｓｅｒｖｉｃｅ  Ｉｎｆｏｒｍａｔｉｏｎなど）とが生成される。当該デジタル映像信号は、スケーラ４０に対して出力される。一方、デジタル音声信号は、所定のＤ／Ａ変換部によってアナログ音声信号に変換されるとともに、このアナログ音声信号が不図示のスピーカに出力される。さらにサービス情報はマイコン５０の制御に従い適宜取得してマイコン５０に出力される。サービス情報にはＴＤＴ（Ｔｉｍｅ  ａｎｄ  Ｄａｔｅ  Ｔａｂｌｅ）などの日付と時刻情報を伝送するテーブルが含まれている。
【００２９】
外部入力端子２０は、コンポジット映像信号入力端子などの映像信号入力端子である。外部入力端子２０より入力される映像信号は、アナログ映像信号処理部３５に供給され、上記アナログ映像信号処理部２５と同様の処理を行い、デジタル映像信号およびデジタル音声信号を生成する。当該デジタル映像信号は、スケーラ４０に出力される。なお、アナログ音声信号は、不図示のスピーカに供給される。
【００３０】
スケーラ４０は、アナログ映像信号処理部２５とデジタル映像信号処理部３０とアナログ映像信号処理部３５とからそれぞれ入力されるデジタル映像信号のうち、マイコン５０の制御に従い、いずれか１系統のデジタル映像信号またはいずれか２系統のデジタル映像信号を選択して受け付け、ＶＲＡＭ４５をワークエリアとして使用しつつディスプレイ７０のサイズに対応するようスケーリング処理を行って出力する。具体的には、スケーラ４０は、上記デジタル映像信号をディスプレイ７０の縦横比に対応する画素数に分割する。また、２系統のデジタル映像信号を受け付けて二画面を同時に表示する、いわゆるＰｉｎＰ表示（ピクチャー・イン・ピクチャー表示）を行うときは、上記スケーリング処理に加えて、子画面として表示される映像信号を所定の画像サイズに圧縮するとともに圧縮された映像信号を親画面として表示される映像信号の一部分に合成して出力する。
【００３１】
ＯＳＤ処理部４２は、マイコン５０の制御により、文字情報等のデ−タをマイコン５０から入力され、同文字情報等のデ−タに基づいて静止画像を生成する。そして同静止画像をＯＳＤ（オンスクリーンディスプレイ）表示のためのＯＳＤ信号として映像信号に重畳することにより、映像に所定の静止画像を重ねて表示したり、所定の静止画像を差し替えて表示する等の処理を行うことができる。
【００３２】
ディスプレイ７０は、ＲＧＢの各階調を表示する各画素が所定の縦横比を有するマトリクス状に配置して構成されている。ドライバ５５は、スケーラ４０にて分割されたＲＧＢ信号を基に所定の電圧値を有する駆動電圧を生成し、上記駆動電圧を各画素に出力することでディスプレイ７０に映像を表示させる。
【００３３】
リモコン６０は操作を受け付ける複数のキーと、上記赤外線信号を上記赤外線受光回路に向けて送信する赤外線送信回路とを有し、同複数のキーの操作に応じた赤外線信号を所定のフォーマットで送出する。例えば、図２に図示するリモコン６０を用いて所望のチャンネルを受信させるべく操作すると、赤外線送信部６５より対応する赤外線信号が送出される。そして、マイコン５０が赤外線受光回路を介して同赤外線信号を受信し、対応するチャンネルを受信させるように周波数データをアナログチューナ１０もしくはデジタルチューナ１５に送出する。
【００３４】
図２にリモコン６０の一例を示した。リモコン６０は、電源キー６６、地上アナログ放送のチャンネル選択を行うアナログチャンネルキー（アナログテンキー）６３ａ、地上デジタル放送のチャンネル選択を行うデジタルチャンネルキー（アナログテンキー）６３ｄ、音量調節キー６２ａ，６２ｂ、上下左右カーソル移動キー６１ａ，６１ｂ，６１ｃ，６１ｄ、カーソル選択キー６１ｅ、メニューキー６４、および二画面キー６７などを備えている。二画面キー６７が押し下げ操作されると、当該押し下げ操作に対応する赤外線信号が送出され、同赤外線信号に対応する電圧信号をマイコンが受け付け、２画面表示と１画面表示とを切り替える制御信号をスケーラ４０に出力する。
すなわちリモコン６０が操作入力手段を構成し、アナログチャンネルキー６３ａがアナログ放送のチャンネル番号と一対一対応する複数の操作入力端子に相当する。
【００３５】
図３に所定の階層構造で階層化された操作項目の一例を示す。リモコン６０のメニューキー６４が押し下げ操作されたときテレビジョンの画面に最初に表示されるメインメニューには、操作項目を大きく分類した操作項目である、「画質」、「音質」、「アナログチャンネル設定」、「デジタルチャンネル設定」、などのメニューブロックが表示される。次に大きく分類した操作項目をリモコン６０にて選択入力するとサブメニューのメニューブロックが画面に表示される。例えばメインメニューで「アナログチャンネル設定」を選択入力したときは、サブメニューにおいて、「戻る」、「自動設定」、「チャンネル１」、「チャンネル２」、などの操作項目が表示される。
【００３６】
（２）メニューの操作項目変更を行うマイコンの処理： 
図４を参照して、メニューの操作項目変更を行うマイコン５０の処理を説明する。同図には、マイコン５０の処理をフローチャートにて記載してある。当該処理は、テレビジョンの電源がオンの間は、ステップＳ１６の処理が実行されるまで繰り返し実行される。ステップＳ１６の処理が実行されて処理を終了すると、以降は当該処理は実行されない。
【００３７】
処理が開始されると、ステップＳ１０にて時刻データを取得する。当該時刻データとしては、テレビジョン１００に保持されている日付情報であってもよいし、地上デジタル放送のＰＳＩ信号に含まれる時刻データであっても構わない。
以上より、ステップＳ１０の処理を実行するマイコン５０が、上記タイマ手段より上記日付情報を取得する日付取得手段または上記地上デジタル放送に含まれる日付情報から上記日付情報を取得する日付取得手段を構成する。
【００３８】
ステップＳ１２では、予めＥＥＰＲＯＭ５３に記憶されている地上アナログ放送終了予定日（本願出願時は２００５年７月２５日予定）を表す情報と、上記ステップＳ１０にて取得した日付情報とを比較し、日付情報が地上アナログ放送終了予定日（以下、終了日とする）を過ぎているか否かを判断する。日付情報が予定日を過ぎていると条件成立としてステップＳ１４に進み、日付情報が予定日を過ぎていないと条件不成立として当該処理を終了する。
以上よりステップＳ１２の処理を実行するマイコン５０が、地上アナログ放送が終了される終了日情報と上記日付情報とを比較する日付比較手段を構成する。
【００３９】
ステップＳ１２で条件成立となりステップＳ１４に進むと、メニューキー６４が押し下げ操作されたときに表示されるメニューの操作項目およびのサブメニューの操作項目の変更などを行う。変更の対象となるのは、アナログ放送の受信および視聴の設定にのみ用いられる操作項目である。図３を例にとると、メインメニューの「アナログチャンネル設定」とそのサブメニューが対象となり、これらの操作項目は予め変更の対象として当該処理に登録されているものとする。
【００４０】
変更内容としては、対象となる操作項目の削除であってもよいし、非表示であってもよい。すなわち、地上アナログ放送にのみ用いられる操作項目を、終了日以降ユーザが選択できないようにすることでユーザの混乱を防ぐことができればよい。具体的には、アナログ放送のチャンネル設定が表示されないようにしたり、二画面表示機能において地上アナログ放送を選択出来ないようにしたりする。さらに、アナログチャンネルキー６３ａに他の機能を割り当て可能としてもよく、サブメニューにアナログチャンネルキー６３ａに他の機能を割り当てる操作項目が表示されるようになる構成としても構わない。
【００４１】
ステップＳ１６では、アナログ放送が終了した旨を画面に表示させて当該処理を終了する。つまり、マイコン５０がアナログ放送が終了した旨の文字情報などのメッセージ情報をＯＳＤ生成部４２に出力し、ＯＳＤ生成部４２が当該メッセージ情報に基づいてＯＳＤ信号を生成してスケーラ４０より供給される映像信号に重畳することにより、ディスプレイ７０に当該メッセージ情報が表示される。
以上より、ステップＳ１４〜Ｓ１６の処理を実行するマイコン５０が、上記日付情報が上記終了日情報を超えると上記アナログ放送のチャンネル設定を行うメニュー画面の表示を変更するメニュー変更手段と、上記メニュー画面の表示を変更すると上記画面に上記アナログ放送が終了した旨を表示するメニュー変更手段と、上記メニュー画面の表示が変更されると、上記複数の操作入力端子に地上デジタル放送に関する機能を割り当てるメニュー変更手段とを構成する。
【００４２】
ところで、メニューの操作項目変更は図５および図６のように、２段階に分けて行われる処理で実現されてもよい。図５の処理はテレビジョンの電源がオンの間は、ステップＳ２６の処理が実行されるまで繰り返し実行され、ステップＳ２６の処理が実行されて処理を終了すると、以降は当該処理は実行されない。また、図６の処理は図５のステップＳ２６の処理が実行された後、メニュー画面にていずれかの操作項目が選択入力されると実行され、ステップＳ３４の処理が実行されるまでいずれかの操作項目が選択入力される度に実行され、ステップＳ３４の処理が実行されて処理が終了すると、以降は実行されない。
【００４３】
処理が開始されると、ステップＳ２０にて、時刻データを取得する。当該時刻データとしては、図４のステップＳ１０と同様に、テレビジョン１００に保持されている日付情報であってもよいし、地上デジタル放送のＰＳＩ信号に含まれる時刻データであっても構わない。
以上より、ステップＳ２０の処理を実行するマイコン５０が、上記タイマ手段より上記日付情報を取得する日付取得手段または上記地上デジタル放送に含まれる日付情報から上記日付情報を取得する日付取得手段を構成する。
【００４４】
ステップ２４では、予めＥＥＰＲＯＭ５３に設定されている地上アナログ放送終了予定日（本願出願時は２００５年７月２５日予定）を表す情報と、上記ステップＳ２０にて取得した日付情報とを比較し、日付情報が地上アナログ放送終了予定日（以下、終了日とする）を過ぎているか否かを判断する。日付情報が予定日を過ぎていると条件成立としてステップＳ２６に進み、日付情報が予定日を過ぎていないと条件不成立として当該処理を終了する。
以上よりステップＳ２４の処理を実行するマイコン５０が、地上アナログ放送が終了される終了日情報と上記日付情報とを比較する日付比較手段を構成する。
【００４５】
ステップＳ２４で条件成立となりステップＳ２６に進むと、メニューキー６４が押し下げ操作されたときに表示されるメニューの操作項目およびのサブメニューの操作項目の変更を行って当該処理を終了する。具体的には、メニューにていずれかの操作項目が選択入力された際に図６の処理が実行されるようにする。
【００４６】
そして、メニュー画面にていずれかの操作項目が選択入力されると図６の処理が実行され、ステップＳ３０にて、選択入力された操作項目が予めアナログ放送の受信および視聴の設定にのみ用いられる操作項目として当該処理に登録されているか否かを判断し、登録されていると条件成立としてステップＳ３２に進み、登録されていないと条件不成立としてステップＳ３４に進んで当該処理を終了する。
【００４７】
ステップＳ３０で条件成立となりステップＳ３２に進むと、アナログ放送が終了した旨の表示をＯＳＤ表示させ、ステップＳ３４でアナログ放送の受信および視聴の設定にのみ用いられる操作項目を削除、または、不可視として当該処理を終了する。従って、以後、アナログ放送の受信および視聴の設定にのみ用いられる操作項目は表示されることは無く、ユーザにアナログ放送が終了したことを知らせるとともにユーザの混乱を防止することが出来る。具体的な変更内容は図４のステップ１４と同様である。
以上より、ステップＳ２６とステップＳ２０〜Ｓ３４の処理を実行するマイコン５０が、上記日付情報が上記終了日情報を超えると上記アナログ放送のチャンネル設定を行うメニュー画面の代わりに上記画面に上記アナログ放送が終了した旨を表示するメニュー変更手段と、上記日付情報が上記終了日情報を超えると上記アナログ放送のチャンネル設定を行うメニュー画面を削除するメニュー変更手段と、上記メニュー画面の表示が変更されると、上記複数の操作入力端子に地上デジタル放送に関する機能を割り当てるメニュー変更手段とを構成する。
【００４８】
（３）まとめ： 
つまり、マイコン５０は、地上デジタル放送のＰＳＩ信号から日付情報を取得し、ＥＥＰＲＯＭ５３より地上アナログ放送が終了される終了日情報を取得して上記日付情報と比較し、上記日付情報が上記終了日情報を超えていると、メニュー画面に表示される地上アナログ放送のチャンネル設定を行う操作項目を削除し、画面に地上アナログ放送が終了した旨を表示し、リモコン６０のアナログチャンネルキー６３ａに地上デジタル放送に関する機能を割り当て可能とする。
【００４９】
以上説明したように、本実施例に対応する請求項２にかかるテレビジョンでは、地上アナログ放送と地上デジタル放送とを受信し、それぞれの放送に対応する映像を画面に表示するとともに、地上アナログ放送のチャンネル設定および地上デジタル放送のチャンネル設定を行うメニュー画面を表示するテレビジョンにおいて、日付情報を取得する日付取得手段と、地上アナログ放送が終了される終了日情報と上記日付情報とを比較する日付比較手段と、上記日付情報が上記終了日情報を超えると、上記地上アナログ放送のチャンネル設定を行うメニュー画面の表示を変更するメニュー変更手段とを備える構成としてある。
つまり、上記日付取得手段が日付情報を取得し、上記日付比較手段が上記地上アナログ放送が終了される終了日情報と上記日付情報とを比較し、上記日付情報が上記終了日情報を超えると、上記メニュー変更手段が上記地上アナログ放送のチャンネル設定を行うメニュー画面の表示を変更する。
上記のように構成した請求項２に記載の発明においては、地上アナログ放送に関わるメニューに関する処理を行わないことで、テレビジョンの操作性がよくなるとともに、地上アナログ放送終了に伴い不要となる機能が表示されなくなり、ユーザクレームの回避が可能なテレビジョンの提供が可能となる。
【００５０】
また、請求項３にかかる発明では、上記請求項２に記載のテレビジョンにおいて、日付と時刻とを保持するタイマ手段を備え、上記日付取得手段は、上記タイマ手段より上記日付情報を取得する構成としてある。
上記のように構成した請求項３に記載の発明においては、内部に保持されたタイマより日付を取得するので、電波状況に関わらず上記日付情報の取得が可能となる。
【００５１】
そして、請求項４にかかる発明では、上記請求項２または請求項３に記載のテレビジョンにおいて、上記日付取得手段は、上記地上デジタル放送に含まれる日付情報から上記日付情報を取得する構成としてある。
上記のように構成した請求項４に記載の発明においては、地上デジタル放送の日付情報から上記日付情報を取得するため、正確な日付情報の取得が可能となる。
【００５２】
さらに、請求項５にかかる発明は、上記請求項２〜請求項４のいずれかに記載のテレビジョンにおいて、上記メニュー変更手段は、上記メニュー画面の表示を変更すると、上記画面に上記地上アナログ放送が終了した旨を表示する構成としてある。
上記のように構成した請求項５に記載の発明においては、上記メニュー画面の表示を変更すると、上記画面に上記地上アナログ放送が終了した旨を表示するため、メニュー画面を変更したことがユーザに通知される為ユーザの利便性が向上すると共にユーザクレームの回避が可能となる。
【００５３】
また、請求項６にかかる発明は、上記請求項２〜請求項５のいずれかに記載のテレビジョンにおいて、アナログ放送のチャンネル番号と一対一対応する複数の操作入力端子を具備する操作入力手段を備え、上記メニュー画面の表示が変更されると、上記複数の操作入力端子に地上デジタル放送に関する機能を割り当て可能とする構成としてある。
上記のように構成した請求項６に記載の発明においては、地上アナログ放送が終了して不要となる地上アナログ放送用の操作入力端子に、地上デジタル放送に関わる機能を割り当てることでユーザの利便性を向上させることが可能となる。
【００５４】
そして、請求項７にかかる発明は、上記請求項２〜請求項６のいずれかに記載のテレビジョンにおいて、上記メニュー変更手段は、上記日付情報が上記終了日情報を超えると、上記アナログ放送のチャンネル設定を行うメニュー画面の代わりに、上記画面に上記アナログ放送が終了した旨を表示する構成としてある。
上記のように構成した請求項７に記載の発明においては、上記メニュー画面の表示を変更する前に上記画面に地上アナログ放送が終了した旨を表示するため、ユーザに地上アナログ放送が終了したことを通知してからメニュー画面が変更されることとなり、ユーザの利便性が向上すると共にユーザクレームの回避が可能となる。
【００５５】
さらに、請求項８にかかる発明は、上記請求項２〜請求項７のいずれかに記載のテレビジョンにおいて、上記メニュー変更手段は、上記日付情報が上記終了日情報を超えると、上記アナログ放送のチャンネル設定を行うメニュー画面を削除する構成としてある。
上記のように構成した請求項８に記載の発明においては、地上アナログ放送に関わるメニューに関する処理を行わないことで、テレビジョンの操作性がよくなるとともに、地上アナログ放送終了に伴い不要となる機能が表示されなくなり、ユーザクレームの回避が可能なテレビジョンの提供が可能となる。
【００５６】
以上の構成を踏まえた上で、請求項１の発明は、映像信号が入力されて、当該映像信号に対応する映像を画面に表示するディスプレイと、地上アナログ放送を受信して所望の周波数帯域の中間周波信号を抽出するアナログチューナと、地上デジタル放送を受信して所望の周波数帯域の中間周波信号を抽出するデジタルチューナと、アナログの中間周波信号に所定の映像信号処理を施してデジタル映像信号を出力するアナログ映像信号処理部と、デジタルの中間周波信号に所定の映像信号処理を施してデジタル映像信号と日付情報を出力するデジタル映像信号処理部と、上記アナログ映像信号処理部と上記デジタル映像信号処理部とからデジタル映像信号が入力されて上記ディスプレイのサイズに対応するようスケーリング処理を行うとともに、ピクチャー・イン・ピクチャー表示の映像信号を出力することが可能なスケーラと、所定のフォーマットのパルスで表現した赤外線信号を受信して対応する電圧信号を生成する赤外線受光回路と、上記地上アナログ放送のチャンネル番号に一対一対応する複数のキーと、上記赤外線信号を上記赤外線受光回路に向けて送信する赤外線送信回路とを有し、同複数のキーの操作に応じた赤外線信号を所定のフォーマットで送出するリモコンと、上記日付情報や上記電圧信号に基づいて上記ディスプレイとアナログチューナとデジタルチューナとアナログ映像信号処理部とデジタル映像信号処理部とスケーラとを制御するマイコンと、地上アナログ放送が終了される終了日情報が記憶されたＥＥＰＲＯＭと、を備えるテレビジョンにおいて、上記マイコンは、上記地上デジタル放送のＰＳＩ信号に含まれる日付情報から上記日付情報を取得し、上記ＥＥＰＲＯＭより地上アナログ放送が終了される終了日情報を取得して上記日付情報と比較し、上記日付情報が上記終了日情報を超えていると、メニュー画面に表示される上記地上アナログ放送のチャンネル設定を行う操作項目を削除し、上記画面に上記地上アナログ放送が終了した旨を表示し、上記複数の操作入力端子に地上デジタル放送に関する機能を割り当て可能とする構成としてある。
【００５７】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５８】
【図１】テレビジョンの概略構成ブロック図である。
【図２】リモコンの一例である。
【図３】メニューの一例である。
【図４】メニューの操作項目変更にかかるマイコンの処理を示したフローチャートである。
【図５】メニューの操作項目変更にかかるマイコンの処理を示したフローチャートである。
【図６】メニューの操作項目変更にかかるマイコンの処理を示したフローチャートである。
【符号の説明】
【００５９】
１０…アナログチューナ
１０ａ…アンテナ
１５…デジタルチューナ
１５ａ…アンテナ
２０…外部入力端子
２５…アナログ映像信号処理部
３０…デジタル映像信号処理部
３５…アナログ映像信号処理部
４０…スケーラ
４２…ＯＳＤ処理部
４５…ＶＲＡＭ
５０…マイコン
５１…赤外線受光回路
５２…発振回路
５３…ＥＥＰＲＯＭ
５５…ドライバ
６０…リモコン
７０…ディスプレイ
１００…テレビジョン本体
１１０…テレビジョン
６１ａ，６１ｂ，６１ｃ，６１ｄ…カーソル移動キー
６１ｅ…カーソル選択キー
６２ａ，６２ｂ…音量調節キー
６３ａ…アナログチャンネルキー（アナログテンキー）
６３ｂ…デジタルチャンネルキー（デジタルテンキー）
６４…メニューキー
６５…赤外線送信部
６６…電源キー
６７…２画面キー
【図１】
2007235693.tif 000003
【図２】
2007235693.tif 000004
【図３】
2007235693.tif 000005
【図４】
2007235693.tif 000006
【図５】
2007235693.tif 000007
【図６】
2007235693.tif 000008